(57)【要約】  家具ヒンジは、サイド部品（３）が設けられる取り付けプレート（２）と、支持レバー（５）およびガイドレバー（６）を介してサイド部品（３）に枢動可能に保持されるヒンジ部品（４）とを備え、サイド部品（３）に対するヒンジ部品（４）の動きを弱めるために、ダンピング目的で回転部品（１４）に結合されるハウジング（１８）およびピストンロッド（１７）を有するリニアダンパが設けられ、回転部品（１４）は、支持レバー（５）またはガイドレバー（６）によって軸（１５）を中心に回転駆動され、それにより、許容誤差を補償できる可能性を伴うコンパクトな構造が可能となる。【選択図】  図１
2010501758.tif 000002
【特許請求の範囲】
【請求項１】
サイド部品（３）が設けられる取り付けプレート（２）と、
支持レバー（５）およびガイドレバー（６）を介して前記サイド部品（３）に枢動可能に保持されるヒンジ部品（４）と
を備える家具ヒンジにおいて、
前記サイド部品（３）に対する前記ヒンジ部品（４）の動きを弱めるために、ダンピング目的で回転部品（１４）と結合されるハウジング（１８）およびピストンロッド（１７）を備えるリニアダンパが設けられ、前記回転部品が、前記支持レバー（５）または前記ガイドレバー（６）によって軸（１５）を中心に回転駆動されることを特徴とする家具ヒンジ。
【請求項２】
前記回転部品（１４）が少なくとも一部に歯を有することを特徴とする請求項１に記載の家具ヒンジ。
【請求項３】
前記回転部品（１４）が、前記ピストンロッド（１７）または前記ハウジング（１８）の保持要素（１６）によって結合され、該保持要素が前記回転軸（１５）から離間されていることを特徴とする請求項１または２に記載の家具ヒンジ。
【請求項４】
突出部（１１）が前記支持レバー（５）または前記ガイドレバー（６）と一体に設けられ、前記突出部が前記回転部品（１４）を駆動することを特徴とする請求項１〜３のいずれか一項に記載の家具ヒンジ。
【請求項５】
前記回転部品（１４）がホイールとして設けられることを特徴とする請求項１〜４のいずれか一項に記載の家具ヒンジ。
【請求項６】
前記回転部品（１４）が前記回転軸（１５）と平行なピン（１６）を有し、該ピンが前記ピストンロッド（１７）のアイと結合されることを特徴とする請求項１〜５のいずれか一項に記載の家具ヒンジ。
【請求項７】
前記リニアダンパが、前記回転部品（１４）からそれた側で前記サイド部品（３）に回転可能に保持されることを特徴とする請求項１〜６のいずれか一項に記載の家具ヒンジ。
【発明の詳細な説明】
【技術分野】
【０００１】
本発明は、サイド部品が設けられる取り付けプレートと、支持レバーおよびガイドレバーを介してサイド部品に枢動可能に保持されるヒンジ部品とを備える家具ヒンジに関する。
【背景技術】
【０００２】
ＥＰ  １５５５３７２は、ヒンジ部品が支持レバーおよびガイドレバーを介してサイド部品に枢動可能に保持される家具ヒンジを開示している。ヒンジ部品の動きを弱めるため、チェーンリンクを介してガイドレバーの突出部と結合されるリニアダンパがサイド部品に設けられている。結合は強固に成されており、それにより、許容誤差の限られた補償だけが可能である。また、構成部品の取り付けが比較的面倒である。
【０００３】
ＤＥ  １０１５９１４０は、サイド部品でのヒンジ部品の動きを弱めるために回転ダンパを設けることもできる家具ヒンジを開示している。回転ダンパは、歯形を有するピニオンによって作動され、それにより、ヒンジ部品が閉じる最中に特定のダンピング（運動制限）が生じ得る。しかしながら、そのような回転ダンパは限られたダンピング力しか有しておらず、ダンピング経路が比較的短い。
【発明の概要】
【発明が解決しようとする課題】
【０００４】
したがって、本発明の目的は、好ましいダンピング特性を有し且つ取り付けが容易な家具ヒンジを提供することである。
【課題を解決するための手段】
【０００５】
この目的は、請求項１の特徴を有する家具ヒンジによって達成される。
【０００６】
サイド部品に対するヒンジ部品の動きを弱めるために、ダンピング目的で回転部品と結合されるハウジングおよびピストンロッドを備えるリニアダンパが設けられ、回転部品は、支持レバーまたはガイドレバーによって軸を中心に回転駆動される。したがって、ダンピング力およびダンピング経路に関して家具ヒンジに負荷するように構成される標準的なダンパを使用することができ、非常に僅かな構成要素だけがダンピング要素のために必要とされる。ダンパとヒンジ部品またはヒンジ部品に接続される構成要素との機械的な結合は、簡単な方法で成すことができるとともに、許容誤差の特定の補償の可能性を与えることができる。
【０００７】
本発明の好ましい実施形態によれば、回転部品は少なくとも一部に歯を備えている。結果として、回転部品を更なる歯付き部品と容易に結合させることができる。回転部品は、ピストンロッドまたはハウジングの保持要素によって結合させることができ、該保持要素は回転軸から離間されており、それにより、回転動作がダンパの直線動作へと変換される。
【０００８】
僅かな構成要素だけで家具ヒンジを製造できるようにするため、回転部品を駆動し且つ例えばこの目的のために歯を備える突出部が支持レバーまたはガイドレバーと一体に設けられることが好ましい。回転部品は、軸を中心に回転可能に保持されるホイールとして設けることができる。
【０００９】
回転部品が回転軸と平行なピンを備え、該ピンがピストンロッドのアイと結合されることが好ましく、それにより、数少ない取り付けステップを用いてダンパの固定を行なうことができる。ダンパは、回転部品と反対側で回転可能に保持されることが好ましく、それにより、ハウジングに対してピストンロッドが直線動作する場合には、横方向負荷が防止されるとともに、ピストンロッドの長手方向でのみ力が吸収される。
【００１０】
ここで、添付図面を参照して、本発明の一実施形態を更に詳しく説明する。
【図面の簡単な説明】
【００１１】
【図１】開放位置にある本発明に係る家具ヒンジの側断面図を示している。
【図２】部分的に開放された位置における図１の家具ヒンジの図を示している。
【図３】閉位置にある図１の家具ヒンジの図を示している。
【発明を実施するための形態】
【００１２】
金属またはプラスチックから形成される家具ヒンジ１は、家具カーカスに固定することができる取り付けプレート２を備える。取り付けプレート２にはサイド部品３が調整可能に取り付けられる。この場合、サイド部品３には支持レバー５およびガイドレバー６を介してポット状ヒンジ部品４が枢動可能な態様で保持されている。ヒンジ部品は家具ドアの凹部に固定することができる。支持レバー５は、軸７を介してヒンジ部品４と接続されるとともに、軸８を介してサイド部品３と接続される。ガイドレバー６は、軸９を介してヒンジ部品４と接続されるとともに、軸１０を介してサイド部品３と接続される。
【００１３】
歯１２を有する突出部１１がガイドレバー６に一体に設けられる。歯１２は、回転部品として設けられ且つ軸１５を中心に回転するようにサイド部品３に保持されるホイール１４の歯１３と噛み合っている。歯１３はホイール１４の一部に設けられている。これは、ホイール１４の限られた部分だけが歯１２と係合するからである。ホイール１４には、軸１５から距離を隔ててピン１６が設けられており、該ピンにはダンパのピストンロッド１７のアイが取り付けられる。ピストンロッド１７は、リニアダンパ、例えば流体ダンパまたはガス圧ダンパとして設けられるダンパのハウジング１８内に係合する。ダンパのハウジング１８は、ホイール１４からそれた側にある軸１９を中心に回転するようにサイド部品３に保持される。したがって、ハウジング１８に対するピストンロッド１７の動作中の横方向力が避けられる。
【００１４】
ヒンジ部品４の位置の事後設定を可能にするため、特に家具ドアを位置合わせするため、サイド部品３は調整ネジ２０を介して取り付けプレート２に調整可能に保持される。
【００１５】
図１は開放位置にある家具ヒンジを示しており、この開放位置では、ヒンジ部品４およびヒンジ部品と接続される家具ドアが開放される。ヒンジ部品４が閉位置の手前ほぼ４５°の角度αにある図２に示される位置へと枢動されると、回転部品１４は、支持レバー５およびガイドレバー６を介したヒンジ部品４の連結及びそれぞれの軸７，８，９，１０の選択の結果として未だ枢動されず、それにより、操作を妨げ得るダンピングが開放領域で起こらない。ヒンジ部品４の動作のダンピングは、ヒンジ部品４が閉じる前の領域でのみ起こる。
【００１６】
図３は、閉位置にあるヒンジ部品４を示している。ガイドレバー６が軸１０を中心に枢動されており、それにより、突出部１１の歯１２がホイール１４を軸１５を中心に回転させてしまっている。そのため、ピストンロッド１７がハウジング１８内に押し込まれ、これにより、それぞれのダンピングが起こってしまっている。ヒンジ部品４には、スプリングによって閉位置へと予め張力をかけることができる。ヒンジ部品４の新たな開放中、歯１２，１３による強制案内によってピストンロッド１７が再び挿入位置から引き出し位置へと移動される。ダンパは一方側でダンピング効果を有することができ、それにより、閉プロセスよりも簡単に開放プロセスを行なうことができる。
【図１】
2010501758.tif 000003
【図２】
2010501758.tif 000004
【図３】
2010501758.tif 000005
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
サイド部品（３）が設けられる取り付けプレート（２）と、
支持レバー（５）およびガイドレバー（６）を介して前記サイド部品（３）に枢動可能に保持されるヒンジ部品（４）と
を備え、
前記サイド部品（３）に対する前記ヒンジ部品（４）の動きを弱めるために、ダンピング目的で回転部品（１４）と結合されるハウジング（１８）およびピストンロッド（１７）を備えるリニアダンパが設けられており、前記回転部品が、前記支持レバー（５）または前記ガイドレバー（６）によって軸（１５）を中心に回転駆動される、家具ヒンジにおいて、
前記回転部品（１４）が少なくとも一部に歯を有することを特徴とする家具ヒンジ。
【請求項２】
前記回転部品（１４）が、前記ピストンロッド（１７）または前記ハウジング（１８）の保持要素（１６）によって結合され、該保持要素が前記回転軸（１５）から離間されていることを特徴とする請求項１に記載の家具ヒンジ。
【請求項３】
突出部（１１）が前記支持レバー（５）または前記ガイドレバー（６）と一体に設けられ、前記突出部が前記回転部品（１４）を駆動することを特徴とする請求項１または２に記載の家具ヒンジ。
【請求項４】
前記回転部品（１４）がホイールとして設けられることを特徴とする請求項１〜３のいずれか一項に記載の家具ヒンジ。
【請求項５】
前記回転部品（１４）が前記回転軸（１５）と平行なピン（１６）を有し、該ピンが前記ピストンロッド（１７）のアイと結合されることを特徴とする請求項１〜４のいずれか一項に記載の家具ヒンジ。
【請求項６】
前記リニアダンパが、前記回転部品（１４）からそれた側で前記サイド部品（３）に回転可能に保持されることを特徴とする請求項１〜５のいずれか一項に記載の家具ヒンジ。
【国際調査報告】
2010501758.tif 000006
2010501758.tif 000007
2010501758.tif 000008
2010501758.tif 000009
2010501758.tif 000010
2010501758.tif 000011